(57)【要約】【課題】人体、農地、更には地球環境への悪影響の拡大が懸念される農薬を用いることなく、また残留農薬の問題を生じさせることなく、農作物を食い荒らす害虫等の不要小動物を容易かつ効率的に駆除できるようにする。【解決手段】不要小動物５を吸い込むための吸引口６が形成されたノズル２と、該ノズルに対して負圧を作用させる負圧発生源３と、ノズル２の下流側かつ負圧発生源３の上流側に取り付けられノズル２に接続された空気の入口１０と負圧発生源３に接続された空気の出口１１を有し空気の入口１０にはノズル２から吸い込まれた不要小動物５を捕集するように袋状に形成されたフィルタ１２が着脱可能に取り付けられた負圧容器４とを備え、捕集した不要小動物５をフィルタ１２ごと廃棄可能にした構成を特徴とする。【選択図】    図１
2005124454.tif 000002
【特許請求の範囲】
【請求項１】
不要小動物を吸い込むための吸引口が形成されたノズルと、該ノズルに対して負圧を作用させる負圧発生源と、前記ノズルの下流側かつ前記負圧発生源の上流側に取り付けられ前記ノズルに接続された空気の入口と前記負圧発生源に接続された空気の出口とを有し前記空気の入口には前記ノズルから吸い込まれた前記不要小動物を捕集するように袋状に形成されたフィルタが着脱可能に取り付けられた負圧容器とを備え、該負圧容器内で捕集した前記不要小動物を前記フィルタごと廃棄可能に構成したことを特徴とする不要小動物駆除装置。
【請求項２】
不要小動物を吸い込むための吸引口が形成されたノズルと、該ノズルに対して負圧を作用させる負圧発生源と、前記ノズルの下流側かつ前記負圧発生源の上流側に取り付けられ前記ノズルに接続された空気の入口と前記負圧発生源に接続された空気の出口とを有し前記空気の入口には前記ノズルから吸い込まれた前記不要小動物を捕集するように袋状に形成されたフィルタが着脱可能に取り付けられ前記空気の出口には前記フィルタ自体が吸い込まれることを防止する吸込み防止部材が取り付けられた負圧容器とを備え、該負圧容器内で捕集した前記不要小動物を前記フィルタごと廃棄可能に構成したことを特徴とする不要小動物駆除装置。
【請求項３】
不要小動物を吸い込むための吸引口が形成されたノズルと、携帯可能に構成され該ノズルに対して負圧を作用させる負圧発生源と、前記ノズルの下流側かつ前記負圧発生源の上流側に取り付けられ前記ノズルに接続された空気の入口と前記負圧発生源に接続された空気の出口とを有し前記空気の入口には前記ノズルから吸い込まれた前記不要小動物を捕集するように袋状に形成されたフィルタが着脱可能に取り付けられ前記空気の出口には前記フィルタ自体が吸い込まれることを防止する吸込み防止部材が取り付けられた負圧容器とを備え、該負圧容器内で捕集した前記不要小動物を前記フィルタごと廃棄可能に構成し、携帯可能に構成したことを特徴とする不要小動物駆除装置。
【請求項４】
不要小動物を吸い込むための複数の吸引口が形成されたノズルと、各々の該ノズルに対して負圧を作用させる負圧発生源と、前記ノズルの下流側かつ前記負圧発生源の上流側に少なくとも１つ取り付けられ前記ノズルに夫々接続された空気の入口と前記負圧発生源に接続された空気の出口とを有し前記空気の入口には前記ノズルから吸い込まれた前記不要小動物を捕集するように袋状に形成されたフィルタが着脱可能に取り付けられ前記空気の出口には前記フィルタ自体が吸い込まれることを防止する吸込み防止部材が取り付けられた負圧容器とを備え、該負圧容器内で捕集した前記不要小動物を前記フィルタごと廃棄可能に構成し、前記吸引口を複数設けたことを特徴とする不要小動物駆除装置。
【請求項５】
前記ノズルが伸縮自在に構成されたことを特徴とする請求項１乃至請求項４のいずれかに記載の不要小動物駆除装置。
【発明の詳細な説明】
【技術分野】
【０００１】
本発明は、不要小動物駆除装置に係り、特に人体、農地、更には地球環境への悪影響の拡大が懸念される農薬を用いることなく、また残留農薬の問題を生じさせることなく、農作物を食い荒らす害虫等の不要小動物を吸い取って捕集することにより容易かつ効率的に駆除できるようにした不要小動物駆除装置に関する。
【背景技術】
【０００２】
農作物栽培における害虫としては、アブラムシ、カミキリムシ、カメムシ、ケムシ、アオムシ、バッタ、ミノムシ等、種々のものがあるが、これらの不要小動物駆除の方法としては、従来から殺虫剤散布による即時的な殺害又は次第に死に至らしめる方法や、予防的措置として害虫忌避剤の散布により不要小動物の付着を防ぐ方法が主流である。
【０００３】
しかしこれらのような農薬を使用した不要小動物の駆除だけでは、益虫まで駆除してしまう上に、農薬を使用した農産物を摂取した人の体や農地に残留農薬の悪影響が及ぶことが懸念され、かけがえのない地球環境がますます悪化して行くことになりかねないという問題があった。
【０００４】
なお、本願出願人及び発明者は、本願発明に関連する公知特許文献及び公知非特許文献を知らないので、その記載を省略する。
【発明の開示】
【発明が解決しようとする課題】
【０００５】
本発明は、上記した従来技術の欠点を除くためになされたものであって、その目的とするところは、不要小動物を吸い込むための吸引口が形成されたノズルと、該ノズルに対して負圧を作用させる負圧発生源と、ノズルの下流側かつ負圧発生源の上流側に取り付けられノズルに接続された空気の入口と負圧発生源に接続された空気の出口とを有し空気の入口にはノズルから吸い込まれた不要小動物を捕集するように袋状に形成されたフィルタが着脱可能に取り付けられた負圧容器とを備え、該負圧容器内で捕集した不要小動物を該フィルタごと廃棄可能に構成することによって、人体、農地、更には地球環境への悪影響の拡大が懸念される農薬を用いることなく、また残留農薬の問題を生じさせることなく、農作物を食い荒らす害虫等の不要小動物を容易かつ効率的に駆除できるようにすると共に、捕集した不要小動物の廃棄、焼却等を容易に行うことができるようにすることである。
【０００６】
また他の目的は、上記構成により、薬品等を用いる方法と異なり、アレルギー体質、その他敏感肌等の虚弱体質の人々にも、簡便に不要動物駆除ができるようにすることである。
【０００７】
また他の目的は、上記構成により、従来の薬品等による不要動物駆除方法で必要とされた手袋、マスク着用等の前準備時間を不要とし、作業におけるロス時間をなくすことである。
【０００８】
また他の目的は、上記構成において、負圧容器内の空気の出口にフィルタ自体が吸い込まれることを防止する吸込み防止部材を取り付けることによって、袋状のフィルタが空気の出口に吸い込まれて詰まることを未然に防止することであり、またこれによって安定的に駆除作業を行うことができるようにすることである。
【０００９】
更に他の目的は、上記構成において、負圧発生源を携帯可能に構成することによって、農作物の間を自由に移動しながら機動的に不要小動物の駆除を行うことができるようにすることである。
【００１０】
更に他の目的は、上記構成において、ノズルに複数の吸引口を形成し、各吸引口に負圧を作用させることによって、不要小動物駆除の効率を飛躍的に向上させ、大規模農地のように駆除対象となる不要小動物が非常に多い場合でも、次々と該不要小動物を駆除して行くことができるようにすることである。
【００１１】
また他の目的は、ノズルを伸縮自在に構成することによって、作物等が混んだ所や高い所でも、容易に使用でき、不要小動物駆除が場所を選ばすにできるようにすることである。
【課題を解決するための手段】
【００１２】
要するに本発明（請求項１）は、不要小動物を吸い込むための吸引口が形成されたノズルと、該ノズルに対して負圧を作用させる負圧発生源と、前記ノズルの下流側かつ前記負圧発生源の上流側に取り付けられ前記ノズルに接続された空気の入口と前記負圧発生源に接続された空気の出口とを有し前記空気の入口には前記ノズルから吸い込まれた前記不要小動物を捕集するように袋状に形成されたフィルタが着脱可能に取り付けられた負圧容器とを備え、該負圧容器内で捕集した前記不要小動物を前記フィルタごと廃棄可能に構成したことを特徴とするものである。
【００１３】
また本発明（請求項２）は、不要小動物を吸い込むための吸引口が形成されたノズルと、該ノズルに対して負圧を作用させる負圧発生源と、前記ノズルの下流側かつ前記負圧発生源の上流側に取り付けられ前記ノズルに接続された空気の入口と前記負圧発生源に接続された空気の出口とを有し前記空気の入口には前記ノズルから吸い込まれた前記不要小動物を捕集するように袋状に形成されたフィルタが着脱可能に取り付けられ前記空気の出口には前記フィルタ自体が吸い込まれることを防止する吸込み防止部材が取り付けられた負圧容器とを備え、該負圧容器内で捕集した前記不要小動物を前記フィルタごと廃棄可能に構成したことを特徴とするものである。
【００１４】
また本発明（請求項３）は、不要小動物を吸い込むための吸引口が形成されたノズルと、携帯可能に構成され該ノズルに対して負圧を作用させる負圧発生源と、前記ノズルの下流側かつ前記負圧発生源の上流側に取り付けられ前記ノズルに接続された空気の入口と前記負圧発生源に接続された空気の出口とを有し前記空気の入口には前記ノズルから吸い込まれた前記不要小動物を捕集するように袋状に形成されたフィルタが着脱可能に取り付けられ前記空気の出口には前記フィルタ自体が吸い込まれることを防止する吸込み防止部材が取り付けられた負圧容器とを備え、該負圧容器内で捕集した前記不要小動物を前記フィルタごと廃棄可能に構成し、携帯可能に構成したことを特徴とするものである。
【００１５】
また本発明（請求項４）は、不要小動物を吸い込むための複数の吸引口が形成されたノズルと、各々の該ノズルに対して負圧を作用させる負圧発生源と、前記ノズルの下流側かつ前記負圧発生源の上流側に少なくとも１つ取り付けられ前記ノズルに夫々接続された空気の入口と前記負圧発生源に接続された空気の出口とを有し前記空気の入口には前記ノズルから吸い込まれた前記不要小動物を捕集するように袋状に形成されたフィルタが着脱可能に取り付けられ前記空気の出口には前記フィルタ自体が吸い込まれることを防止する吸込み防止部材が取り付けられた負圧容器とを備え、該負圧容器内で捕集した前記不要小動物を前記フィルタごと廃棄可能に構成し、前記吸引口を複数設けたことを特徴とするものである。
【００１６】
また本発明（請求項５）は、請求項１乃至請求項４のいずれかに記載の不要小動物駆除装置であって、前記ノズルが伸縮自在に構成されたことを特徴とするものである。
【発明の効果】
【００１７】
本発明は、上記のように不要小動物を吸い込むための吸引口が形成されたノズルと、該ノズルに対して負圧を作用させる負圧発生源と、ノズルの下流側かつ負圧発生源の上流側に取り付けられノズルに接続された空気の入口と負圧発生源に接続された空気の出口とを有し空気の入口にはノズルから吸い込まれた不要小動物を捕集するように袋状に形成されたフィルタが着脱可能に取り付けられた負圧容器とを備え、該負圧容器内で捕集した不要小動物を該フィルタごと廃棄可能に構成したので、人体、農地、更には地球環境への悪影響の拡大が懸念される農薬を用いることなく、また残留農薬の問題を生じさせることなく、農作物を食い荒らす害虫等の不要小動物を容易かつ効率的に駆除できる効果があり、捕集した不要小動物の廃棄、焼却等を容易に行うことができる効果がある。
【００１８】
また上記構成により、薬品等を用いる方法と異なり、アレルギー体質、その他敏感肌等の虚弱体質の人々にも、簡便に不要動物駆除ができるという効果がある。
【００１９】
また上記構成により、従来の薬品等による不要動物駆除方法で必要とされた手袋、マスク着用等の前準備時間が不要となり、作業におけるロス時間をなくすことができるという効果が得られる。
【００２０】
また本発明は、上記構成において、負圧容器内の空気の出口にフィルタ自体が吸い込まれることを防止する吸込み防止部材を取り付けたので、袋状のフィルタが空気の出口に吸い込まれて詰まることを未然に防止できる効果があり、またこの結果安定的に駆除作業を行うことができる効果が得られる。
【００２１】
更に本発明は、上記構成において、負圧発生源を携帯可能に構成したので、農作物の間を自由に移動しながら機動的に不要小動物の駆除を行うことができる効果がある。
【００２２】
また本発明は、上記構成において、ノズルに複数の吸引口を形成し、各吸引口に負圧を作用させるようにしたので、不要小動物駆除の効率を飛躍的に向上させ、大規模農地のように駆除対象となる不要小動物が非常に多い場合でも、次々と該不要小動物を駆除して行くことができる効果がある。
【００２３】
またノズルを伸縮自在に構成したので、作物等が混んだ所や高い所でも、容易に使用でき、不要小動物駆除が場所を選ばすにできるという効果がある。
【発明を実施するための最良の形態】
【００２４】
以下本発明を図面に示す実施例に基いて説明する。本発明に係る不要小動物駆除装置１は、図１及び図２に示すように、ノズル２と、負圧発生源３と、負圧容器４とを備えている。
【００２５】
ノズル２は、図１、図２及び図８に示すように、不要小動物５を吸い込むための吸引口６が形成されたものであって、不要小動物５が通過可能な程度の内径を有する細長いパイプ状に、かつ伸縮自在に形成され、作物等が混んだ所や高い所でも使用できるようになっており、吸引口６は例えばノズル２の先端に１箇所形成されている。ノズル２は、一部又は全部を透明に構成してもよい。吸引口６から不要小動物５が吸い込まれて行くのを目視で確認できるからである。
【００２６】
ノズル２は、把持部７の前方に取り付けられた該ノズル２と同程度の内径を有するパイプ２３の先端に差し込んだ状態で、ナット１５を締め付けることにより、該パイプ２３に取り付けられ、また分解も可能となっている。これは収納時に小さくまとめることができるようにするためである。なお、ノズル２又はパイプ２３の一部を任意の方向に曲げることができるように構成してもよい。場所によっては吸引口６が回り込むようにした方が作業性がよい場合があるからである。
【００２７】
吸引口６には、農作物８を傷つけないようにするために、例えばシリコンゴム等をスカート形に成形してなる柔軟性のあるフード２２が取り付けられている。
【００２８】
なお、吸引口６の数は１つに限られず、複数設けてもよい。駆除効率を高めるためである。
【００２９】
把持部７には、負圧発生源３を起動及び停止させるためのスイッチ９が取り付けられている。なお、スイッチ９の取り付け位置は、把持部７に限られず、例えば負圧発生源３自体に取り付けてもよいし、無線式等どのような構成であってもよい。
【００３０】
負圧発生源３は、携帯可能に構成され、ノズル２に対して負圧を作用させるものであって、例えば電源を内蔵した小型掃除機又は原動機付きのコンプレッサのようなものである。負圧発生源３は、ノズル２の吸引口６から負圧容器４内まで昆虫等の不要小動物５を吸い込む程度の負圧を発生させることができればよい。
【００３１】
負圧発生源３は、図５、図７及び図８に示すように、ショルダーベルト１６を用いて作業者１８が背負うようにすることができ、また図９に示すように、例えば農作業用の車輌１９に設置するようにしてもよい。
【００３２】
なお、負圧発生源３は、携帯可能なものに限られるものではなく、小型のコンプレッサ、トラックの荷台等に積み込んで使用する大型のコンプレッサ、又は所定の場所に設置されたコンプレッサ等（いずれも図示せず）であってもよい。
【００３３】
負圧容器４は、図１及び図２に示すように、ノズル２の下流側かつ負圧発生源３の上流側に取り付けられ、ノズル２に接続された空気の入口１０と、負圧発生源３に接続された空気の出口１１とを有し、空気の入口１０にはノズル２から吸い込まれた不要小動物５を捕集するように袋状に形成されたフィルタ１２が着脱可能に取り付けられ、空気の出口１１にはフィルタ１２自体が吸い込まれることを防止する吸込み防止部材１３が取り付けられたものである。
【００３４】
負圧容器４は、例えば上側が開口した円筒形に形成され、空気が漏れないように蓋２４を取り付けて密閉したものであり、該蓋２４に空気の入口１０及び空気の出口１１が形成されている。また負圧容器４は、透明に構成され、フィルタ１２内に捕集された不要小動物５の種類や量を目視で確認することができるようになっている。
【００３５】
フィルタ１２は、空気は通すが、ケムシ、アオムシ、テントウムシ、ハムシ又はアリ等の不要小動物５は通さないような、例えば細かな目の網や不織布により構成され、負圧容器４の容量内で、なるべく多くの不要小動物５を捕集できるような大きさに形成されている。またフィルタ１２は、空気の入口１０に簡単に輪ごむ等で着脱することができるように構成されており、捕集した不要小動物５を該フィルタ１２ごと廃棄できるようになっている。
【００３６】
吸込み防止部材１３は、例えばステンレス鋼製の網であって、空気の出口１１を覆うように取り付けられている。なお、吸込み防止部材１３は、目詰まりの清掃等のために、取り外すこともできるようになっている。
【００３７】
把持部７と空気の入口１０との間は、例えば可撓性のホース２０により接続され、ノズル２とフィルタ１２とが通じた状態となっている。また空気の出口１１と負圧発生源３とは、例えば可撓性のホース１４により接続されている。
【００３８】
本発明は上記のように構成されており、以下その作用について説明する。図３から図５において、作業者１８が把持部７を持ち、指１８ａでスイッチ９を矢印Ａ方向に押し、負圧発生源３を動作させると、該負圧発生源３の後方から矢印Ｂ方向に空気が排出され、これに伴ってホース１４、負圧容器４、把持部７及びノズル２に負圧が作用し、吸引口６から矢印Ｃ方向に空気が吸い込まれる。
【００３９】
この状態で、図６に示すように、ノズル２の吸引口６を、例えば樹木２１に付着している不要小動物５に近づけると、該不要小動物５は吸引口６から矢印Ｃ方向に吸い込まれる。不要小動物５のみを駆除し、益虫（図示せず）は駆除しないように目視で確認しながら選択的に駆除することができる。
またノズル２は伸縮自在に構成されているので、作物等が混んだ所や高い所にあっても、容易に不要小動物５を駆除できて、作業性がよい。
【００４０】
この不要小動物の駆除方法は、昆虫等の不要小動物５は、一般に何らかの危険を察知すると、飛び立ったり、地上に転落する等して、その場所から逃げようとする習性を利用したものである。即ち吸引口６の接近及び吸引による空気の流れを感じると、不要小動物５は危険を感じて自ら足をその場所から離して逃げようとするので、その瞬間に吸引口６から吸い込まれてしまうのである。
【００４１】
吸引口６から吸い込まれた不要小動物５は、ノズル２、把持部７及びホース２０を矢印Ｄ方向に進んで負圧容器４の空気の入口１０を通り、フィルタ１２に入る。フィルタ１２は不要小動物５を通さず、空気だけを通すので、該空気は矢印Ｅ方向に通り抜け、更に吸込み防止部材１３を通り抜けて空気の出口１１からホース１４内に矢印Ｆ方向に進み、負圧発生源３に入って該負圧発生源３の方向から矢印Ｂ方向に排出される。
【００４２】
空気の出口１１には、吸込み防止部材１３が取り付けられているので、フィルタ１２が空気の出口１１に吸い込まれて詰まることはない。
【００４３】
不要小動物５が吸引されて行く姿は、ノズル２の透明部分で確認することができ、また負圧容器４内でフィルタ１２内に捕集された不要小動物５の種類、大きさ等も目視で確認することができる。これによりスズメバチ等の危険な虫が多く存在することがわかったような場合には、直ちに他の手段、例えば専門の駆除業者に駆除を依頼する等の方策を講ずることができる。
【００４４】
吸引口６には、柔軟性のあるフード２２が取り付けられているので、図５、図６及び図８において、樹木２１や農作物８に当たっても、これらを傷付けることはない。また吸引口６に作用する吸引力は、農作物８等を引きちぎるほどのものではないので、吸引によって該農作物８等を傷付けることはない。
【００４５】
作業者１８は、図５、図７及び図８に示すように、負圧発生源３を背負うことにより、自由に動き回りながら不要小動物５を次々と駆除して行くことができる。また図９に示すように、農作業用の車輌１９に負圧発生源３及び負圧容器４を置き、作業者１８自身も該車輌１９に乗り、該車輌１９により移動しながら不要小動物５の大規模な駆除を行うこともできる。
【００４６】
フィルタ１２内に捕集された不要小動物５は、該フィルタ１２を取り外して口を閉じ、該フィルタ１２ごと廃棄又は焼却することができるので、清潔かつ安全である。
【００４７】
多くの不要小動物５は、シーズンの初めにやって来て繁殖し、その場所で農作物８等に害を与えるが、その不要小動物５を完全に駆除してしまうと、そのシーズン中は他から再びやって来ることが少ないという習性があるので、本発明に係る不要小動物駆除装置１を使用して念入りに不要小動物５の駆除を行うと、農作物８等への害を最小限に留めることができる。
【００４８】
しかも本発明に係る不要小動物駆除装置１を使用すれば、人体、農地、更には地球環境への悪影響の拡大が懸念される農薬を用いる必要がないので、残留農薬の問題を生じさせることもなく、安全である。
【図面の簡単な説明】
【００４９】
【図１】不要小動物の駆除装置の部分破断斜視図である。
【図２】不要小動物の駆除装置の部分縦断面図である。
【図３】不要小動物の駆除装置において、スイッチを入れることにより負圧発生源が動作して、ノズルに吸引力が発生している状態を示す部分縦断面図である。
【図４】負圧容器において、把持部を通って来た不要小動物がフィルタ内に捕集され、空気のみが空気の出口からホースに出て行く状態を示す部分縦断面図である。
【図５】作業者が負圧発生源を背負い、把持部を持ち、ノズルの吸引口を樹木に付着している不要小動物に近付けて、負圧発生源を動作させて該不要小動物を吸引しようとしている状態を示す斜視図である。
【図６】樹木の葉等に付着している不要小動物をノズルの吸引口から吸引しようとしている状態を示す拡大斜視図である。
【図７】作業者が負圧発生源を背負い、把持部を持ち、ノズルの吸引口を地面の農作物に付着している不要小動物に近付けて、該不要小動物を吸引しようとしている状態を示す斜視図である。
【図８】作業者が負圧発生源を背負い、把持部を持ち、ノズルの吸引口を樹木の葉等に付着している不要小動物に近づけて、負圧発生源を動作させて該不要小動物を吸引しようとしている状態を示す斜視図である。
【図９】作業者が農作業用の車輌に乗り、負圧発生源を該車輌上に載置して樹木の不要小動物を駆除している状態を示す図である。
【符号の説明】
【００５０】
１    不要小動物駆除装置
２    ノズル
３    負圧発生源
４    負圧容器
５    不要小動物
６    吸引口
１０    空気の入口
１１    空気の出口
１２    フィルタ
１３    吸込み防止部材
【図１】
2005124454.tif 000003
【図２】
2005124454.tif 000004
【図３】
2005124454.tif 000005
【図４】
2005124454.tif 000006
【図５】
2005124454.tif 000007
【図６】
2005124454.tif 000008
【図７】
2005124454.tif 000009
【図８】
2005124454.tif 000010
【図９】
2005124454.tif 000011